(57)【要約】【課題】製造が容易であり、軽量で、環境を害するおそれがなく、施工誤差を容易に調整できる蓋装置を提供すること。【解決手段】本発明の蓋装置１は、開口周囲に設けた開口枠３と、開口を塞ぐ蓋体５とを備え、蓋体５はパネル２１と、パネル裏面で且つパネル縁３３に沿って配置したパネル枠２３と、パネル枠２３の内周側に設けた補強部材２５とを備え、開口枠３にパネル枠２３を載置して開口を蓋体５で塞いでおり、蓋体５を構成するパネル２１、パネル枠２３及び補強部材２５をアルミニウム合金製としてあるとともにパネル縁３３がパネル枠２３よりも外周側に突設して、切断によりパネル２１の寸法を調節可能な寸法調節代としてある。【選択図】　　図１
2004100203.tif 000002
【特許請求の範囲】
【請求項１】
開口周囲に設けた開口枠と、開口を塞ぐ蓋体とを備え、蓋体はパネルと、パネル裏面で且つパネル縁に沿って配置したパネル枠と、パネル枠の内周側に設けた補強部材とを備え、開口枠にパネル枠を載置して開口を蓋体で塞いでおり、蓋体を構成するパネル、パネル枠及び補強部材をアルミニウム合金製としてあるとともにパネル縁がパネル枠よりも外周側に突設していることを特徴とする蓋装置。
【請求項２】
パネル枠は、嵌合部材の取付部と、気密材の取付部とを備え、複数の蓋体を隣接配置する場合に、一方の蓋体のパネル枠に嵌合部材を取り付け、他方の蓋体のパネル枠に気密材を取り付けて、嵌合部材と気密材とを相互に嵌合することを特徴とする請求項１に記載の蓋装置。
【請求項３】
開口枠は内周面側に溝部を備え、蓋体は水平方向に回動自在なデッドボルトを備え、デッドボルトが溝部に係合して蓋体を開口枠に施錠することを特徴とする請求項１又は２に記載の蓋装置。
【請求項４】
開口枠はその内周側が外周側よりも低い段部を有する枠本体と、枠本体に固定され縦断面が略Ｌ字形状の気密材保持具とを備え、気密材保持具はＬ字の上端が枠本体の外周側にネジ止めしてあり、下端が開口枠の内周側に位置し且つ下端に蓋体との間を気密に保持する気密材が取り付けてあり、気密保持具の下端と枠本体の段部との間に隙間を形成していることを特徴とする請求項１〜３のいずれに記載の蓋装置。
【発明の詳細な説明】
【０００１】
【発明の属する技術分野】
本発明は、水処理槽やマンホール等の開口に蓋をする蓋装置に関する。
【０００２】
【従来の技術】
一般に、下水処理場等の水処理槽では鉄製の蓋体を開口枠に載置して、開口を閉じている。かかる蓋体は鉄製であるから、重量が重く取り扱い難いとともに、錆が発生しやすいためメンテナンスが必要になるという不都合がある。
これに対して、第１の従来技術（例えば、特許文献１参照）には、蓋体をパネルと補強材とから構成するとともに、蓋体のパネル及び補強材を樹脂製とした構成が開示されている。
【０００３】
また、第２の従来技術（例えば、特許文献２参照）には、蓋体を複数のアルミニウム合金製のホロー形材を接合して構成することが開示されている。
【０００４】
【特許文献１】
特開２００１−１４０３３１号公報
【特許文献２】
特開２００１−７０９２７号公報
【０００５】
【発明が解決しようとする課題】
しかしながら、上述した第１の従来技術では、樹脂材製の蓋は廃棄する場合に環境を害するおそれがあり、環境保護の観点から好ましくない。
【０００６】
また、第２の従来技術では、隣り合う押出形材をそれぞれ接合する必要があるので、製造に手間がかかる。また、蓋体の大きさ（寸法）が異なると要求される強度も異なるので、蓋体の大きさが異なる毎に断面寸法の異なるホロー形材を用意する必要があり、製造が煩雑になるという問題がある。
【０００７】
更に、上述のいずれの従来技術においても、施工現場で開口枠に寸法誤差がある場合には、蓋の設置が困難であるととも施工現場で蓋体の寸法調整ができないという問題がある。
【０００８】
本発明は、上述した事情に鑑みなされたもので、製造が容易であり、軽量で、環境を害するおそれがなく、施工誤差を容易に調整できる蓋装置の提供を目的とする。
【０００９】
【課題を解決するための手段】
上記目的を達成するために、請求項１に記載の発明は、開口周囲に設けた開口枠と、開口を塞ぐ蓋体とを備え、蓋体はパネルと、パネル裏面で且つパネル縁に沿って配置したパネル枠と、パネル枠の内周側に設けた補強部材とを備え、開口枠にパネル枠を載置して開口を蓋体で塞いでおり、蓋体を構成するパネル、パネル枠及び補強部材をアルミニウム合金製としてあるとともにパネル縁がパネル枠よりも外周側に突設していることを特徴とする。
【００１０】
この請求項１に記載の発明では、蓋体を構成するパネル、パネル枠、補強部材がアルミニウム合金製であるから、蓋体が軽量であり取り扱い易い。また、蓋体を構成する主要部材がアルミニウム合金製であるから廃棄の際に分別が容易にでき、且つリサイクルによる再利用も容易であるから、環境保護に優れる。
【００１１】
蓋体の製造は、パネルの裏面にパネル枠と補強部材とを接合するだけであるから、製造が容易であるとともに、同一の補強部材を用いてその数や取り付け位置を変えることにより必要な強度を得ることができるので、蓋体の寸法が異なる場合にも同一の部材を用いて製造でき、且つ安価に製造することができる。
【００１２】
施工の際において、開口枠を蓋体で塞ぐ場合には、蓋体の周囲に沿って設けたパネル枠を開口枠に載置する。蓋体はパネル枠を開口枠に載せて開口枠に蓋をし、パネルを開口枠に載置しないので、蓋体の重量をパネルが直接受けて生じるパネルの変形を防止できる。
【００１３】
蓋体には、パネル縁がパネル枠よりも外周側に突設して、寸法調節代となっているのでパネル縁を必要に応じて任意の寸法だけ切断することにより、施工現場で寸法誤差を調整できる。
【００１４】
請求項２に記載の発明は、請求項１に記載の発明において、パネル枠は、嵌合部材の取付部と、気密材の取付部とを備え、複数の蓋体を隣接配置する場合に、一方の蓋体のパネル枠に嵌合部材を取り付け、他方の蓋体のパネル枠に気密材を取り付けて、嵌合部材と気密材とを相互に嵌合することを特徴とする。
【００１５】
この請求項２に記載の発明では、請求項１に記載の作用効果を奏するとともに、複数の蓋体で開口を塞ぐ場合には、隣合わせに配置する一方の蓋体のパネル枠に嵌合部材を取り付け、他方の蓋体のパネル枠に気密材を取り付け、嵌合部材と気密材とを嵌合させるようにして一方及び他方の蓋体を連結する。これにより、開口が大きい場合には、同種の蓋体を複数用いて開口に蓋ができ、開口の大きさが異なる毎に寸法の異なる他種の蓋体を用意する必要がない。
【００１６】
また、嵌合部材及び気密材を脱着することにより、複数の蓋体を開口に蓋をする場合と一つの蓋体で開口に蓋をする場合とのいずれの仕様にも共通の蓋体を用いることができる。
嵌合部材と気密材とを嵌合して隣り合う蓋体を連結しているから、蓋体間の気密性を保持でき、蓋体間から開口内へ雨水等が侵入するのを防止できる。
【００１７】
請求項３に記載の発明は、請求項１又は２に記載の発明において、開口枠は内周面側に溝部を備え、蓋体は水平方向に回動自在なデッドボルトを備え、デッドボルトが溝部に係合して蓋体を開口枠に施錠することを特徴とする。
【００１８】
この請求項３に記載の発明では、請求項１又は２に記載に記載の発明と同様な作用効果を奏するとともに、蓋体の施錠は、デッドボルトを水平に回してデッドボルトを開口枠の溝部に係合させる。解錠する場合には、デッドボルトを開口枠の溝部から外すようにデッドボルトを回す。この発明では、蓋体に水平方向に回転するデッドボルトを設け、開口枠には溝部を形成しておくだけであるから、施錠装置の構成が簡易で且つ操作が容易である。
【００１９】
請求項４に記載の発明は、請求項１〜３のいずれかに記載の発明において、開口枠はその内周側が外周側よりも低い段部を有する枠本体と、枠本体に固定され縦断面が略Ｌ字形状の気密材保持具とを備え、気密材保持具はＬ字の上端が枠本体の外周側にネジ止めしてあり、下端が開口枠の内周側に位置し且つ下端に蓋体との間を気密に保持する気密材が取り付けてあり、気密保持具の下端と枠本体の段部との間に隙間を形成していることを特徴とする。
【００２０】
この請求項４に記載の発明は、請求項１〜３のいずれかに記載の発明と同様な作用効果を奏するとともに、枠本体に気密材を取り付けた気密材保持具をネジ止めする。そして、気密材取付部に取り付けた気密材に蓋体のパネル枠を上から載せて開口に蓋をする。気密保持具は、既存の枠本体を残したままこれに後付けして、本発明にかかる蓋体を載置できるようにすることができるので、既存設備に本発明を適用するための改修工事が容易にできる。
【００２１】
気密材保持具は、枠本体の段部と気密材保持部の下端との間に隙間を形成しているので、枠本体に取り付けるときに寸法調節をする必要がなく、段部の位置が多少上下に異なっていても枠本体にそのまま取り付けできる。
気密材保持具を枠本体に取り付ける前に、枠本体に関係なく別の場所で気密材を取り付けできるので、気密材を取り付ける作業性が良い。
【００２２】
尚、気密材保持具及びパネル枠は、開口枠本体の大きさ（開口の大きさ）や蓋体の大きさが異なる場合にも、横断面の寸法及び形状が同じものを用いることが好ましい。開口枠本体の大きさが異なる毎に異なる寸法や形状の気密保持具及びパネル枠を用意する必要がなく、蓋装置の製造コストを低減できるとともに施工し易い。この場合においてパネルの大きさが異なる場合にはそれに合わせて、補強部材は同じ寸法のものを必要な強度に応じた本数用いたり、異なる寸法の補強部材を用いる。
【００２３】
【発明の実施の形態】
以下に、添付図面の図１〜図６を参照して本発明の第１実施の形態を詳細に説明する。図１は図６に示す蓋装置のＡ−Ａ断面図であり、図２は図６に示す蓋装置のＢ−Ｂ断面図であり、図３は図６に示す蓋装置のＣ部を拡大して示す平面図であり、図４は図６に示す蓋装置のＥ−Ｅ断面図であり、図５は図６に示す蓋体を裏面から見た平面図であり、図６は本実施の形態にかかる蓋装置の平面図である。
【００２４】
本実施の形態にかかる蓋装置１は、下水処理場における水処理槽の開口に蓋をするものであり、水処理槽の開口周囲に設けた開口枠３と、開口を塞ぐ蓋体５とから構成されている。
【００２５】
開口枠３は、アルミニウム合金製の形材であり、アンカー部材９によりコンクリートに固定されており、開口枠３にはその内周側に気密材１１が取り付けられている。開口周囲は、内周側が低い段に形成されており、開口枠は開口周囲の段に沿って断面が略Ｌ字形状に形成されている。開口枠の外周側に形成してある係止部１５はアンカー部材９に係止されており、開口枠３の内周側には気密材取付部１３が設けられており、ここに気密材１１が装着されている。
【００２６】
気密材１１には、中空１１ａが形成されており弾性変形し易く、クッション性を高めている。
気密材１１は、中空１１ａが形成された弾性部と、パネル枠２３が載置されてその位置決めをする位置決部１１ｂとから構成されており、位置決部１１ｂは開口枠３に当接により載置されるパネル枠２３の位置決めを行う機能ことを主機能としており、中空１１ａを有する弾性部はパネル枠２３との間を水密且つ気密に保持することを主機能としている。中空１１ａが形成された弾性部は位置決部１１ｂよりも内周側にあり、パネル枠２３は中空１１ａのある弾性部と位置決部１１ｂとの両方に同時に載置されるようになっている。
【００２７】
開口枠３には、内周側を開口した溝部１７が設けてあり、溝部１７には後述するデッドボルト１９が係止可能である。
蓋体５は、パネル２１と、パネル２１の周囲に配置したパネル枠２３と、補強部材２５とから構成されており、これらは全てアルミニウム合金製である。
本実施の形態では、開口枠３には、縦横が同寸法の蓋体５を３枚隣合わせに設けて、開口枠３に蓋をしている（図６参照）。
【００２８】
各パネル２１は、平面視矩形であり、縦パネル枠２３ａ、２３ｂ及び横パネル枠２３ｃ、２３ｄを四周に溶接固定して、パネル枠２３を構成している。各パネル枠２３ａ〜２３ｄは横断面が略同じ形状であり、パネル枠２３の内周側又は外周側に向けてそれぞれ嵌合部材取付部２９と、気密材取付部３１とが長手方向に沿って設けられている。隣接配置された一方の蓋体において、対向する一方の縦パネル枠２３ａは嵌合部材取付部２９を外周側に向け、他方の縦パネル枠２３ａは気密材取付部３１を外周側に向けている。同様に、他方の蓋体においても、対向する一方の横パネル枠２３ａは嵌合部材取付部２９を外周側に向け、他方の横パネル枠２３ｂは気密材取付部３１を外周側に向けている。嵌合部材取付部２９には、嵌合溝２９ａが形成されており、嵌合部材２７が嵌合溝２９ａに係止可能である。気密材取付部３１は凹状であり、この凹部に樹脂製の気密材３０が装着可能になっている。これらの嵌合部材２７と気密材３０とは、施工時において、隣接配置する蓋体５、５の対向する縦パネル枠２３ａ、２３ｂにのみ装着される。
【００２９】
補強部材２５は、パネル２１の大きさや厚み等に応じてパネル裏面に溶接固定されている。この補強部材２５はホロー形材であり、パネル枠２３の内周側に配置されている。
【００３０】
パネル縁３３はその四周において、パネル枠２３から外周側に突設して寸法調節代となっており、このパネル縁３３は施工現場において、電動鋸等の工具を用いて任意の寸法に切断可能である。
【００３１】
蓋体５には、開口枠３に近接した位置に施錠装置３５が設けられている。この施錠装置３５は、図６において両側の２枚の蓋体５に設けられている。施錠装置３５は、蓋体５の表面に露出した操作部３７と操作部３７に連動して回転するデッドボルト１９と、開口枠の内周側に設けた溝部１７とから構成されている。デッドボルト１９を水平方向に回転させて、図３に示す解除位置Ｋと施錠位置Ｓとに移動させて施解錠するものであり、施錠位置Ｓではデッドボルト１９の先端が開口枠３の溝部１７に係合する。
また、各蓋体５には蓋の開閉時に蓋体５を持ち上げる取手３９が設けられている。
【００３２】
次に、本実施の形態にかかる蓋装置１の施工方法及び作用について説明する。蓋装置１の施工は、気密材１１を開口枠３に取り付けておき、開口枠３をアンカー部材９で開口周囲に固定する。尚、気密材１１は開口枠３を固定した後に開口枠３に取り付けるものであってもよい。
【００３３】
次に、蓋体５の寸法を調節する。開口枠３の施工の際に寸法誤差が生じたり、開口枠３に歪みや縮みが生じた場合に、それに応じて蓋体５のパネル枠２３よりも外周側に突設したパネル縁３３を寸法調節代として所定寸法切断し、開口枠３に収まるように調節する。パネル２１はアルミニウム合金製であるから、電動鋸等により施工現場で切断が容易にできる。
【００３４】
パネル縁３３はパネル２１の四周において、パネル枠２３の外周側に突設して寸法調節代としているから、パネル２１周囲のいずれの部分でも切断でき、寸法調節の自由度が高い。しかも、開口枠３に設けた気密材１１には、蓋体５のパネル枠２３が載置されるので、パネル縁３３の寸法調節代を切断しても蓋の開閉に影響を及ぼすことがない。
【００３５】
次に、３枚の蓋体５を開口枠３に設ける場合には、相互に隣接する蓋体５において、対向する一方のパネル枠２３ａには嵌合部材２７をその取付部２９に差し込んで装着し、その後溶接固定する。この場合、嵌合部材２７はパネル枠２３の長手方向における一端側から嵌合部材取付部２９に通すことにより容易に装着できる。他方の蓋体５のパネル枠２３には気密材３０を装着する。このようにパネル枠２３には、嵌合部材２７や気密部材３０が取り付け自在であるから、施工現場で取り付けでき、且つ蓋体５を複数用いて蓋をする場合であっても同種類の蓋体５を用いることができる。このように複数の蓋体５を隣合わせに用いる場合には、隣り合う蓋体５において、対向する嵌合部材２７と気密材３０とを嵌合させているので、蓋の気密性が高い。
【００３６】
本実施の形態では、開口枠３及び蓋体５において、気密材３０、施錠装置３５、取手３９、アンカー部材９以外はアルミニウム合金製であるから、これらを開口枠３や蓋体５から外せば、簡単に資源の分別ができ、そのままアルミニウム合金材として廃棄したり、再利用を図ることができる。
また、開口枠３及び蓋体５は主要部がアルミニウム合金製であるから軽量であり、取り扱い易い。
【００３７】
次に、図７を参照して本発明の第２実施の形態を説明する。以下に説明する第２実施の形態では、上述した実施の形態と同一の作用効果を奏する部分には、同一の符号を付することにより、その部分の詳細な説明を省略し、主に上記実施の形態と異なる部分を説明する。
【００３８】
第２実施の形態では、既存の蓋装置を本発明の蓋装置に改修する場合の例であり、既存の枠本体４３に気密材保持具４１を取り付けて開口枠３とし、気密材保持具４１に蓋体５を載置するようにして開口枠３に蓋体５を装着するものである。枠本体４３は、内周側に外周側よりも低い段部４５が形成されており、枠本体４３の外周側部４４に縦断面が略Ｌ字形状の気密材保持具４１がネジ４２により固定されている。気密材保持具４１はＬ字の上端４７側を枠本体４３の外周側にネジ止めしてあり、下端４９には気密材取付部５３が設けられており、この気密材取付部５３に気密材１１が固定されている。気密材保持具４１はアルミニウム合金製形材である。この気密材保持具４１の気密材取付部５３と枠本体４３の段部４５との間には隙間Ｈを形成する寸法に作られており、蓋体５のパネル枠２３を気密材１１に載置したときに蓋体５のパネル２１の上面と開口枠の外側上面とが略面一になる。また、気密材保持具４１の下端４９と段部４５との間に隙間Ｈを形成することで、段部４５に多少の浅い深いの寸法差があっても気密材保持具４１をそのまま取り付けでき、取り付けの自由度が高い。
【００３９】
この第２実施の形態によれば、気密材保持具４１を既存の枠本体４３に取り付けるだけで蓋体５の装着ができ、既存の蓋装置の改修や蓋体５の取り替えが容易にできる。
【００４０】
本発明は、上述した実施の形態に限定されず、本発明の要旨を逸脱しない範囲で種々変形可能である。
例えば、補強部材２５は、図８に示すように複数個を重ねて設けたり、図９に示すように隣合わせに並列に設けるものであってもよい。隣合わせに並列に設ける場合には左右方向で対向する面の一方に突部５９、及び他方に凹部６１を形成しておき、隣り合う補強部材２５が相互に嵌合するようにしても良い。
【００４１】
上述した第１及び第２実施の形態において、パネル枠２３はパネル周囲に連続して設けることに限らず、不連続に設けるものであってもよい。
【００４２】
パネル枠２３や補強部材２５の断面形状はホロー形材に限らず、中空のないもであってもよく、その形状は限定されない。
施錠装置３５及び取手３９をアルミニウム合金製としても良く、また、施錠装置３５はなくてもよい。
【００４３】
【発明の効果】
請求項１に記載の発明によれば、蓋体を構成するパネル、パネル枠、補強部材がアルミニウム合金製であるから、蓋体が軽量であり取り扱い易い。また、蓋体を構成する主要部材がアルミニウム合金製であるから廃棄の際に分別が容易にでき、且つリサイクルによる再利用も容易であるから、環境保護に優れる。
【００４４】
蓋体の製造は、パネルの裏面にパネル枠と補強部材とを接合するだけであるから、製造が容易であるとともに、同一の補強材を用いてその数や取り付け位置を変えることにより必要な強度を得ることができるので、蓋体の寸法が異なる場合にも同一の部材を用いて製造でき、安価に製造することができる。
【００４５】
開口に蓋をするときには、蓋体のパネル枠を開口枠に載せ、パネルを開口枠に載せないので、蓋体の重量をパネルが局部的に受けて変形するのを防止できる。蓋体のパネル縁がパネル枠の外周側に突設してアルミニウム合金製の寸法調節代となっているので、パネル縁を切断することにより、施工現場で寸法誤差を容易に調整できる。
【００４６】
請求項２に記載の発明では、請求項１に記載の作用効果を奏するとともに、複数の蓋体で開口を塞ぐ場合には、隣合わせに配置する一方の蓋体のパネル枠に嵌合部材を取り付け、他方の蓋体のパネル枠に気密材を取り付け、嵌合部材と気密材とを嵌合させるようにして一方及び他方の蓋体を連結するので、同種の蓋体を複数用いて開口に蓋ができ、開口の大きさが異なる毎に寸法の異なる他種のものを用意する必要がない。
【００４７】
また、嵌合部材及び気密材を脱着することにより、使用する蓋体の数が異なるような仕様の変更にも容易に対処できる。
嵌合部材と気密材とを嵌合して隣り合う蓋体を連結しているから、蓋体間から開口内へ雨水等が侵入するのを防止できる。
【００４８】
請求項３に記載の発明では、請求項１又は２に記載の発明と同様な作用効果を奏するとともに、蓋体に水平方向に回転するデッドボルトを設け、開口枠にはデッドボルトが係合する溝部を形成するだけであるから、構成が簡易で且つ操作が容易な施解錠を行うことができる。
【００４９】
請求項４に記載の発明は、請求項１〜３のいずれかに記載の発明と同様な作用効果を奏するとともに、枠本体に気密材を取り付けた気密保持具をネジ止めすることにより、気密材保持具を容易に後付けできる。
【００５０】
気密材保持具は、枠本体の段部と気密材保持部との間に隙間を形成しているので、枠本体に取り付けるときに、段部の位置が多少上下に異なっていても寸法調節をする必要がなく枠本体にそのまま取り付けできる。
気密材保持具を枠本体と別体としているから、気密材を枠本体に関係なく別の場所で取り付けできるので、作業性が良い。
【図面の簡単な説明】
【図１】図６に示す蓋装置のＡ−Ａ断面図である。
【図２】図６に示す蓋装置のＢ−Ｂ断面図である。
【図３】図６に示す蓋装置のＣ部を拡大して示す平面図である。
【図４】図６に示す蓋装置のＥ−Ｅ断面図である。
【図５】図６に示すの蓋体を裏面から見た平面図である。
【図６】第１実施の形態にかかる蓋装置の平面図である。
【図７】第２本実施の形態にかかる蓋装置の開口枠と蓋体との関係を示す断面図である。
【図８】補強部材の他の取り付け例を示す蓋体の断面図である。
【図９】補強部材の他の取り付け例を示す蓋体の断面図である。
【符号の説明】
１　　蓋装置
３　　開口枠
５　　蓋体
７　　枠本体
１１　気密材
１７　溝部
１９　デッドボルト
２１　パネル
２３　パネル枠
２５　補強部材
２７　嵌合部材
２９　嵌合部材取付部
３０　気密材
３１　気密材取付部
３３　パネル縁
３５　施錠装置
３７　操作部
４１　気密材保持具
４３　枠本体
４５　段部
４７　上端
４９　下端
５３　気密材取付部
【図１】
2004100203.tif 000003
【図２】
2004100203.tif 000004
【図３】
2004100203.tif 000005
【図４】
2004100203.tif 000006
【図５】
2004100203.tif 000007
【図６】
2004100203.tif 000008
【図７】
2004100203.tif 000009
【図８】
2004100203.tif 000010
【図９】
2004100203.tif 000011